(57)【特許請求の範囲】
【請求項１】
上端が土間コンクリートの設置レベルよりも少し高い位置の状態で排水管を略直立姿勢で地盤面に埋設した状態で土間コンクリートを打設し、該土間コンクリートの養生後、排水管の土間コンクリートから突出した部分を除去することを特徴とする住宅用土間コンクリートの排水施工方法。
【請求項２】
排水管の上端は閉口したものであり、この閉口部分を除去して開口させることを特徴とする請求項１の住宅用土間コンクリートの排水施工方法。
【請求項３】
排水管内部の切除予定部分よりも下位置に異物侵入を阻止する異物遮断体を形成したことを特徴とする請求項１または２の住宅用土間コンクリートの排水施工方法。
【請求項４】
排水管の開口上端に開閉蓋を装備したことを特徴とする請求項１、２または３項の住宅用土間コンクリートの排水施工方法。
【発明の詳細な説明】
【０００１】
【発明の属する技術分野】
本発明は土間コンクリートの排水施工の施工性が良いとともに土間コンクリート上の水が滞留することなくスムースに排水できる住宅用土間コンクリートの排水施工方法に関するものである。
【０００２】
【従来の技術】
従来の住宅用土間コンクリートの排水施工方法は、円筒形の厚紙型枠を設置して土間コンクリートを打設し、土間コンクリートの養生後該型枠内に排水管を別途モルタルで埋設している。
【０００３】
【発明が解決しようとする課題】
上記従来の住宅用土間コンクリートの排水施工方法では、コンクリートとモルタルの作業が２工程になり、作業性が悪く打ち継ぎ部分から割れが生じる恐れがある。
【０００４】
本発明は上記従来の問題を解決したものであり、土間コンクリートの排水施工の施工性が良いとともに土間コンクリート上の水が滞留することなくスムースに排水できる住宅用土間コンクリートの排水施工方法を提供することを目的とするものである。
【０００５】
【課題を解決するための手段】
上記問題点を解決した本発明の住宅用土間コンクリートの排水施工方法は、上端が土間コンクリートの設置レベルよりも少し高い位置の状態で排水管を略直立姿勢で地盤面に埋設した状態で土間コンクリートを打設し、該土間コンクリートの養生後、排水管の土間コンクリートから突出した部分を除去することを特徴とするものである。
【０００６】
各構成要件について、詳説する。
本発明の排水施工方法に使用する排水管は、塩化ビニル樹脂、ポリプロピレン樹脂等の合成樹脂、鉄、アルミニウム等金属で直管状に形成される。その寸法は、内径２０mm〜１００mm、長さ３００mm〜１０００mmに形成し、使用時に適宜長さに切断して使用する。上部が閉口したものを使用し、土間コンクリート打設後この閉口部分を含む上部を除去することにすると土間コンクリート打設時に管内にコンクリートの侵入を防止でき好適である。管内上部に網状、格子状、或いは多数の孔を穿孔した仕切り板等の異物遮断体を形成すると、使用の際床下に飛来した落ち葉やゴミ等が排水管に侵入して詰まることを防止できる。また排水管の開口上端に開閉蓋を装備すると、土間コンクリートで防蟻処理した床下地盤面の唯一の蟻道となりえる排水管内の経路を遮断できるため、白蟻の侵入を防止できるともに排水管内部への異物侵入を阻止できる。更に開閉蓋を防蟻薬剤含有樹脂で形成したり、表層を防蟻薬剤含有樹脂で被覆すると防蟻効果が更に高まるので好適である。
【０００７】
本発明の排水施工方法は以下の如くである。
先ず、土間コンクリートを打設する地盤面に栗石を敷き詰め、その中に上部を突出した状態で排水管を略直立状態に埋設する。次いで排水管周囲を含み地盤面に土間コンクリートを打設する。土間コンクリートの上面は排水管に向かって下り勾配を設けて仕上げる。土間コンクリートの養生硬化後、土間コンクリート表面から突出した排水管の部分を切断して除去する。排水管の上部を別体に形成し、この上部を排水管本体に対しネジ固定する構造を採用すると、土間コンクリートから突出した部分の除去作業が簡単に行なえる。
【０００８】
【発明の実施の形態】
以下本発明の実施の形態を図面にに基づき説明する。
図１の排水管１は、上端が閉口した塩化ビニル樹脂製で内径１５０mm、長さ５００mm、肉厚５mmである。上端から１５０mmの位置にステンレス製の網状の異物遮蔽体２を設けている。
【０００９】
図２に示す如く、排水管１を栗石を敷き詰めた床下の地盤面３に上部１８０mmが突出するようにで埋設する。次いで図３に示す如く、上面が排水管１に向かって下り勾配をつけて、地盤面３上に厚さ９０mmの土間コンクリート４を打設する。この時排水管１は上部９０mmが土間コンクリート４上面から突出する。
【００１０】
図４に示す如く、土間コンクリート４打設から４８時間養生した後、グランダーを使用して土間コンクリート４表面から突出した排水管１の閉口した上端部分を切断するとともに、切断面を研削して仕上げる。尚この状態で、排水管１の開口端から６０mm深さに異物遮蔽体２が位置することになる。排水管１の開口端には防蟻薬剤含有樹脂層５で被覆した塩化ビニル樹脂製の開閉蓋６を装備しており、常時はこの開閉蓋６で閉止しておき、排水の必要な時に開閉蓋６を外す。
尚、図５は同上本発明の実施例による方法で完成した排水構造の全体を示している。
【００１１】
【発明の効果】
本発明の請求項１の住宅用土間コンクリートの排水施工方法は、上端が土間コンクリートの設置レベルよりも少し高い位置の状態で排水管を略直立姿勢で地盤面に埋設した状態で土間コンクリートを打設し、該土間コンクリートの養生後、排水管の土間コンクリートから突出した部分を除去することを特徴とするので、土間コンクリートの排水管周囲のレベルを基準に排水管の上端レベルを排水管の上部を除去するという簡単な作業で正確に設定できる。従って、土間コンクリートの排水施工の施工性が良いとともに土間コンクリート上の水が滞留することなくスムースに排水できる。
【００１２】
請求項２の発明では、上記請求項１の発明の効果に加え、排水管の上端は閉口したものであり、この閉口部分を除去して開口させることを特徴とするのでコンクリート打設時に誤って排水管内にコンクリートが侵入して排水管が詰まる事が無く、又施工時にコンクリートの排水管への侵入を配慮する手間が不要であり施工性も良い。
【００１３】
請求項３の発明では、上記請求項１または２の発明の効果に加え、排水管内部の切除予定部分よりも下位置に異物侵入を阻止する異物遮断体を形成したことを特徴とするので別途異物遮断体を取り付ける手間が不要であり施工性が良いとともに異物遮断体を取り付け忘れによる排水管の詰まりの恐れがなくなる。
【００１４】
請求項４の発明では、上記請求項１、２または３の発明の効果に加え、排水管の開口上端に開閉蓋を装備したことを特徴とするので、排水の必要なときだけ排水管を開口して使用することにより、土間コンクリートで防蟻処理した床下地盤面の唯一の蟻道となりえる排水管内の経路を遮断できるため、白蟻の侵入を防止できるともに排水管内部への異物侵入を阻止できる。
【図面の簡単な説明】
【図１】本発明の実施形態に使用する排水管の斜視図。
【図２】本発明の実施形態の一工程を示す要部断面図。
【図３】同上の実施形態の異なる工程を示す要部断面図。
【図４】同上の実施形態の更に異なる工程を示す要部断面図。
【図５】同上の実施形態を示す断面図。
【符号の説明】
１    排水管
２    異物遮断体
３    地盤面
４    土間コンクリート
６    開閉蓋
【図１】
0004210387.tif 000002
【図２】
0004210387.tif 000003
【図３】
0004210387.tif 000004
【図４】
0004210387.tif 000005
【図５】
0004210387.tif 000006